(57)【要約】      （修正有）【課題】子供たち自身の経験やイメージを、自分の手で作り上げることの喜びを感じさせることができる、オリジナル知育遊具を提供する。【解決手段】アーム本体の両端の連結具に開閉リングを回転可能に嵌め装着すると共に上面部及び下面部に嵌め込み溝を形成したメイン連結アームと、メイン連結アームの連結具基台に着脱可能に連結する竪ポールと、メイン連結アームの嵌め込み溝に上端縁又は下端縁を着脱可能に嵌め込む矩形パネルと、竪ポールの下端部を挿入支持するアンカーブロックと、竪ポールの上端部を挿入支持するトップブロックと、竪ポールを挿出入可能にしメイン連結アームの高さを制限する高さ設定用パイプとからなり、メイン連結アームの連結具基台は、側方に固定開口部を設け固定開口部から竪ポールを出し入れ自在にすると共に上部開閉リングの回転により固定開口部を開閉する回動式開口部を有することを特徴とする幼児用オリジナル知育遊具。【選択図】図１
2019126693.tif 000002
【特許請求の範囲】
【請求項１】
アーム本体の両端部に連結具を設けた前記連結具に開閉リングを回転可能に嵌め装着すると共にアーム本体の上面部及び／又は下面部に嵌め込み溝を形成したメイン連結アームと、前記メイン連結アームの連結具に着脱可能に連結する竪ポールと、前記メイン連結アームの嵌め込み溝に上端縁又は下端縁を着脱可能に嵌め込む矩形パネルと、前記竪ポールの下端部を挿入支持するアンカーブロックと、前記竪ポールを挿出入可能にし前記メイン連結アームの一対間の高さを制限する高さ設定用パイプとからなり、前記メイン連結アームの連結具は、連結具基台を有し、連結具基台は側方に固定開口部を設け固定開口部から前記竪ポールを出し入れ自在にすると共に上部に前記開閉リングを回転可能に嵌め、前記開閉リングは、前記固定開口部と同じ形状をし回転により前記固定開口部を開閉する回動式開口部を有することを特徴とする幼児用オリジナル知育遊具。
【請求項２】
アーム本体の両端部に連結具を設けた前記連結具に開閉リングを回転可能に嵌め装着すると共にアーム本体の上面部及び／又は下面部に嵌め込み溝を形成したメイン連結アームと、前記メイン連結アームの連結具に着脱可能に連結する竪ポールと、前記メイン連結アームの嵌め込み溝に上端縁又は下端縁を着脱可能に嵌め込む矩形パネルと、前記竪ポールの下端部を挿入支持するアンカーブロックと、前記竪ポールの上端部を挿入支持するトップブロックと、前記竪ポールを挿出入可能にし前記メイン連結アームの一対間の高さを制限する高さ設定用パイプとからなり、前記メイン連結アームの連結具は、連結具基台を有し、連結具基台は側方に固定開口部を設け固定開口部から前記竪ポールを出し入れ自在にすると共に上部に前記開閉リングを回転可能に嵌め、前記開閉リングは、前記固定開口部と同じ形状をし回転により前記固定開口部を開閉する回動式開口部を有することを特徴とする請求項１又は請求項２に記載の幼児用オリジナル知育遊具。
【請求項３】
アーム本体の両端部に連結具を設けた前記連結具に開閉リングを回転可能に嵌め装着すると共にアーム本体の上面部及び／又は下面部に嵌め込み溝を形成したメイン連結アームと、前記メイン連結アームの連結具に着脱可能に連結する竪ポールと、前記メイン連結アームの嵌め込み溝に上端縁又は下端縁を着脱可能に嵌め込む矩形パネルと、前記竪ポールの下端部を挿入支持するアンカーブロックと、前記竪ポールを挿出入可能にし前記メイン連結アームの一対間の高さを制限する高さ設定用パイプとからなり、前記メイン連結アームの連結具は、連結具基台を有し、前記連結具基台は側方に固定開口部を設け固定開口部から前記竪ポールを出し入れ自在にすると共に上部に前記開閉リングを回転可能に嵌め、前記開閉リングは、前記固定開口部と同じ形状をし、回転により前記固定開口部を開閉する回動式開口部を有し、前記竪ポールに挿通可能にしてアンカーブロックとメイン連結アームの連結具との間、メイン連結アームの連結具の上方部又は下方部或いは連結具間の何れか一つに介設するスペーサーリングを設けたことを特徴とする請求項１又は請求項２に記載の幼児用オリジナル知育遊具。
【請求項４】
アーム本体の両端部に連結具を設けた前記連結具に開閉リングを回転可能に嵌め装着すると共にアーム本体の上面部及び／又は下面部に嵌め込み溝を形成したメイン連結アームと、前記メイン連結アームの連結具に着脱可能に連結する竪ポールと、前記メイン連結アームの嵌め込み溝に上端縁又は下端縁を着脱可能に嵌め込む矩形パネルと、前記竪ポールの下端部を挿入支持するアンカーブロックと、前記竪ポールの上端部を挿入支持するトップブロックと、前記竪ポールを挿出入可能にし前記メイン連結アームの一対間の高さを制限する高さ設定用パイプとからなり、前記メイン連結アームの連結具は、連結具基台を有し、連結具基台は側方に固定開口部を設け固定開口部から前記竪ポールを出し入れ自在にすると共に上部に前記開閉リングを回転可能に嵌め、前記開閉リングは、前記固定開口部と同じ形状をし、回転により前記固定開口部を開閉する回動式開口部を有し、前記竪ポールに挿通可能にしてアンカーブロックとメイン連結アームの連結具との間、メイン連結アームの連結具の上方部又は下方部或いは前記連結具間の何れか一つに介設するスペーサーリングを設け、更にアーム本体の長さを前記メイン連結アームの長さより長くすると共にアーム本体の両端部に前記メイン連結アームと同じ連結具を有するスジカイ連結アームを設けたことを特徴とする幼児用オリジナル知育遊具。
【請求項５】
前記矩形パネルには、ハンガー又はフック用の複数個の穴を形成した掛けパネル、窓パネル、装飾パネルを備えたことを特徴とする請求項１〜請求項４の何れか一つに記載の幼児用オリジナル知育遊具。
【発明の詳細な説明】
【技術分野】
【０００１】  本発明は、２歳から８歳前後の子供の幼児用遊具の中でも自発的想像力を育むオリジナル知育遊具に関する。
【背景技術】
【０００２】  幼児用遊具としてのコンセプトは、子供に安全であり、子供の自由な生活行動を可能にすると共に遊び行動も満足させることであり、子供の生活・遊び行動に応じて子供の目前で用途に応じて組み立て変換して、発想の転換と興味と思考力およびチャレンジ精神の醸成を、自然体で感じさせて、子供が自発的に組み立て可能な遊具に変更できることであることを基本としている。
これを満足するものとして本願出願人は、過去に特許文献１〜特許文献３にて子供の成長に合わせて夢のある幼児用組立遊具（ジョイント幼児遊具）を紹介し、幼児教育業界に大きく貢献をしてきた。【０００３】  これ等の幼児用組立遊具は、連結用の基台を複数台用意し、これに予め組み立ててある滑り台、登り台、梯子等を簡易連結具で連結して基台との昇降コンビネーション遊具にしたり、叉、複数の基台の上部間にトンネルブリッジ、太鼓橋、ネット渡橋、ネット吊り橋、ウェーブ橋、蛇行橋等を前記簡易連結具で、連結して高所渡りコンビネーション遊具にするものである。これらの組み合わせは幼児又は保育士等のアイディアを生かして連結して、様々なミニ遊園地を構成して楽しむことが出来る。【０００４】  昔、積み木のように色々な立体形状の単一部材を予め多数作成して置き、これらを遊ぶ幼児の自由な発想に基いて組み立てていくものがある。いわば子供の想像力を育む知育遊具の原始である。【０００５】  一方現在の、幼児用遊具は、パーソナルコンピュータ等を活用してプログラマーが作成された高度化され且つゲーム化された高価で難しく、想像力を育む遊具としては程遠いものがある。
【先行技術文献】
【特許文献】
【０００６】
【特許文献１】特開２０１４−２０４９４６号公報「子供用家具調遊具」
【特許文献２】特開２０１５−２２３４９８号公報「子供用組立遊具」
【特許文献３】特開２０１７−６４３７２号公報「幼児用組立遊具」
【発明の概要】
【発明が解決しようとする課題】
【０００７】  本発明は、誰かによって作られた既成のゲームやキャラクターの世界ではなく、多様な組み立てを可能にした単一の各種連結遊具部材を利用して、子供本人が描いた自由なイメージを自分の手で創造させ、その完成の喜びを感じさせる遊具、また親子で、又は子供同士がお互いに協力して創造することができる遊具、即ち実質的なオリジナル知育遊具を提供するものである。
【課題を解決するための手段】
【０００８】  上記本発明の課題を満足させる幼児用オリジナル知育遊具の主な技術構成は、次の（１）〜（５）の通りである。【０００９】  （１）、アーム本体の両端部に連結具を設けた前記連結具に開閉リングを回転可能に嵌め装着すると共にアーム本体の上面部及び／又は下面部に嵌め込み溝を形成したメイン連結アームと、前記メイン連結アームの連結具に着脱可能に連結する竪ポールと、前記メイン連結アームの嵌め込み溝に上端縁又は下端縁を着脱可能に嵌め込む矩形パネルと、前記竪ポールの下端部を挿入支持するアンカーブロックと、前記竪ポールを挿出入可能にし前記メイン連結アームの一対間の高さを制限する高さ設定用パイプとからなり、前記メイン連結アームの連結具は、連結具基台を有し、連結具基台は側方に固定開口部を設け固定開口部から前記竪ポールを出し入れ自在にすると共に上部に前記開閉リングを回転可能に嵌め、前記開閉リングは、前記固定開口部と同じ形状をし回転により前記固定開口部を開閉する回動式開口部を有することを特徴とする幼児用オリジナル知育遊具。【００１１】  （２）、前記パーツに加えて、前記竪ポールの上端部を挿入支持するトップブロックを設けたことを特徴とする前記（１）に記載の幼児用オリジナル知育遊具。【００１２】  （３）、前記竪ポールに挿通可能にしてアンカーブロックとメイン連結アームの連結具との間、メイン連結アームの連結具の上方部又は下方部或いは連結具間等に介設するスペーサーリングを設けたことを特徴とする前記（１）又は（２）に記載の幼児用オリジナル知育遊具。【００１３】  （４）、アーム本体の長さを前記メイン連結アームの長さより長くすると共にアーム本体の両端部に前記メイン連結アームと同じ連結具を有するスジカイ連結アームを設けたことを特徴とする前記（１）〜（３）のいずれか一つに記載の幼児用オリジナル知育遊具。【００１４】  （５）、前記矩形パネルには、ハンガー又はフック用の複数個の穴を形成した掛けパネル、窓パネル、装飾パネルを備えたたことを特徴とする前記（１）〜（４）のいずれか一つに記載の幼児用オリジナル知育遊具。
【発明の効果】
【００１５】  本発明は、既成のゲームやキャラクターの世界ではなく、前記構成の遊具を用いて子供たち自身の経験やイメージを、自分の手で作り上げることの喜びを感じさせ、また子供に合わせた課題を自由に本人が創造し、或いは親子で、又は子供同士がお互いに協力して創造することができる所謂実質的な、オリジナル知育遊具である。【００１６】  本発明は多様な組み立てを可能にした前記構成遊具部材により、幼児の自由な発想により幼児自身が多角形の秘密基地、思い思いの迷路の構築、ミニハウスの構築、隠れ家、機密基地等々を簡易に安全に自在に組み立てることが出来る。
【図面の簡単な説明】
【００１７】
【図１】本発明のメイン連結アームの実施例であり（１）に開閉リングを連結具から外した状態の平面図を示し、（２）に（１）に示す開閉リングの矢視Ａ−Ａから見た正面図を示し、（３）に（１）に示す連結具の矢視Ｂ−Ｂから見た正面図を示す。
【図２】図１の（１）に示すメイン連結アームの正面図を（１）に示し、開閉リングを連結具に嵌めた状態を（２）に示し、（２）の矢視Ｃ−Ｃから見た平面図を（３）に示す。
【図３】図２の（２）に示す状態から連結具において回動開閉リングを矢印の方向に回転させた状態の平面図（１）と、同平面図（１）の矢視Ｄ−Ｄから見た側面図（２）を示す。
【図４】図３に示す状態にしたメイン連結アームのモデルを示し、図２の示す状態で連結具に竪ポールを挿入し、その後図３に示すように回動開閉リングを前記矢印の方向に９０°回転させて竪ポールの外れを防止した所謂ロックした状態を示す。
【図５】本発明のメイン連結アームの実施例において、連結具の固定開口部の開口方向を各種揃えた（１）〜（３）例を示す平面図である。
【図６】（１）に竪ポールとその上端部を挿入支持し装飾するトップブロックと竪ポールの下端部を挿入支持するアンカーブロックの正面図を示し、（２）に（１）の矢視Ｅ−Ｅから見たアンカーブロックの横断面を示す。（３）にメイン連結アームの一対間の高さを制限する高さ設定用パイプの斜視図を示し、（４）に竪ポールに挿通可能にしてアンカーブロックとメイン連結アームの連結具との間等に介設するスペーサーリングの斜視図を示す。
【図７】高さ設定用パイプの適用例を示す正面図である。
【図８】スペーサーリングの適用例を示す正面図である。
【図９】矩形パネルの１具体例を示す正面図であり、ハンガーか又はフック用の複数個の穴を設けた穴パネルの正面図である。
【図１０】スジカイ連結アーム（１）とその使用例（２）を示す斜視説明図である。
【図１１】ミニハウスの構築例を示す斜視説明図である。
【図１２】六角形の秘密基地の構築例を示す斜視説明図である。
【図１３】迷路の構築例を示す斜視説明図である。
【発明を実施するための形態】
【００１８】  発明を実施するための形態を次に記載の実施例により詳細に説明する。
【実施例】
【００１９】  本発明の実施例の基本的な部材構成を図１〜図１０に示す。
幼児用オリジナル知育遊具は、図１〜図５に示すメイン連結アーム１０と、図６に示す竪ポール２０と、高さ設定用パイプ３０と、アンカーブロック４０と、トップブロック５０と、スペーサーリング６０と、図９〜図１３に示すに例の矩形パネル８０〜８７と、図１０示すスジカイ連結アーム７０とからなる。【００２０】  前記メイン連結アーム１０は、図１〜図４において、メイン連結アーム本体１１の上下面部に矩形パネルのエッジ（端縁）の嵌め込み溝１２を形成し、メイン連結アーム本体１１の両端部に連結具基台１３を設け、各連結具基台１３は、中央部に前記竪ポール２０の挿通穴１４を有しその側部に前記竪ポール２０を出し入れ自在にする一つの固定開口部１５−１、１５−２を形成する。前記連結具基台１３の上部に円形状の嵌め部１６を形成しこの嵌め部１６に回動開閉リング１７の下部に形成した突起リング１８を回転可能に嵌めてある。
前記両連結具基台１３の両固定開口部１５−１、１５−２は、メイン連結アーム本体１１の軸心線の延長線に対して同一の直角方向に開口してある。つまりメイン連結アーム本体の軸中心に対して面対称で該直角方向に固定開口部を形成してある。【００２１】  前記連結具基台１３に回転可能に設ける回動開閉リング１７は、図１〜図４において、中央部に前記竪ポール２０の挿通穴１４０を有しその側部に該回動開閉リング自体の回転により前記固定開口部１５−１、１５−２を開閉する回動式開口部１５０を形成する。前記回動式開口部１５０は、連結具基台１３の固定開口部１５−１、１５−２と同じ形状にして、この回動式開口部１５０は回動開閉リング自体の回転により前記固定開口部１５と同一開口方向にして前記連結具基台１３内への竪ポール２０の出し入れを自在にし、更に前記固定開口部１５と同一位置に重ならない方向に回動させて前記竪ポール２０の前記連結具基台内からの放出を阻止可能にする。【００２２】  メイン連結アームの両連結具基台１３に形成する固定開口部の開口方向は、上記の面対称で該直角方向に形成する他に、回動開閉リングを省略して示す図５の（１）に示すように両固定開口部１５−３，１５−４をメイン連結アーム本体１１の軸心に対して点対称に直角方向に開口してよく、また図５の（２）に示すように一方の固定開口部１５−５をメイン連結アーム本体１１の軸心線の延長線方向に開口し、他方の固定開口部１５−６をメイン連結アーム本体１１の軸心線の延長線に対して直角方向に開口させ、更に図５の（３）に示すように両固定開口部１５−７，１５−８をメイン連結アーム本体１１の軸心線の延長線上に開口する等利便性を考慮して各種の開口方向を組み合わせて形成する。【００２３】  前記竪ポール２０は、図６の（１）において、前記メイン連結アーム１１の連結具基台１３の固定開口部１５に挿通及び側部からの出し入れを可能にした円形又は多角形の柱体又はパイプ体等の横断面形状を形成する。【００２４】  前記アンカーブロック４０は、図６の（１）と（２）において、円盤の中央部にアンカーホール４１を形成し、竪ポール２０の下端部をアンカーホール４１内に嵌入又は螺合して同竪ポール２０の竪設状態を保持する。
前記アンカーブロック４０のアンカーホール４１の内径形状は上方からの前記竪ポール２０下部の嵌入又は螺合が可能で該竪状態の保持機能のため、竪ポール２０下部の外形の形状に合わせた内径形状にすることが好ましい。【００２５】  トップブロック５０は、図６の（１）において、竪ポール２０上端部が嵌入又は螺合自在のトップホール５１を中央部下部に形成し、竪ポール２０の上端部をトップホール５１内に嵌入又は螺合して同竪ポール２０の上端部を保持すると共に飾る。このためトップブロック５０のトップホール５１の形状は、少なくとも前記竪ポール２０上端部の外形形状を包む横断面の内径形状に形成することが好ましい。【００２６】  高さ設定用パイプ３０は、図６の（３）において、前記竪ポール２０を挿出入可能にし前記メイン連結アーム１０の高さ位置を保持するものであり、従って図７に示すように同一竪ポール２０の上方と下方にそれぞれ前記メイン連結アーム１０の連結具基台１３を連結する場合はその上下の一対間の高さ間隔をパイプ高さに保持する。又、高さ設定用パイプ３０の内径形状は、少なくとも前記竪ポール２０の外形形状を包む横断面の内径形状に形成することが好ましい。【００２７】  スペサーリング６０は、図６の（４）に示すように、中央部に竪ポール２０の竪貫通ホール６１を有し、図８に示すように、アンカーブロック４０とメイン連結アーム１０の連結具基台１３との間に、図示していないがメイン連結アーム１０の連結具基台１３の上方部又は下方部或いは連結具基台１３間等に介設して、高さ設定用パイプ２０の高さ調節（アジャスト）用として、或いは配色して飾りとして活用することが出来る。【００２８】  前記矩形パネルは、図９に示すハンガーか又はフック用の複数個の穴パネル８０、図１０〜図１３に示す窓パネル８１〜８６、各種模様の装飾パネル８７を、或いは図示していないが鏡パネル、凹凸ミラーパネル、マジックミラーパネル、透明パネル、カラーパネル等を、上下一対の前記メイン連結アーム１０の上面部又は下面部に形成した対面する嵌め込み溝１２に上下端縁を着脱可能に嵌め込んで、室内壁や窓、通路側壁等を構成して楽しい演出を可能にする。【００２９】  スジカイ連結アーム７０は、図１０の（１）に示すように、スジカイ連結アーム本体７１を前記メイン連結アーム１０より長くして、同スジカイ連結アーム本体７１の両端部に回動開閉リング１７０を回転可能に嵌め、固定開口部７２を有する連結具基台１３０を装着してある。連結具基台１３０と開閉リング１７０の構成は前記メイン連結アーム１０のそれらと全く同一構成であり、同一符号を付して詳細な説明を省略する。但し矩形パネルの嵌めこみ溝は本例では不要の為形成していない。
図１０の（２）に示すスジカイ連結アーム７０の適用例は、４本の前記メイン連結アーム１０と４本の竪ポール２０と４個のアンカーブロック４０で形成した立体形の部屋の上方矩形区間の一つの対角線上にある竪ポール２０間に水平にかけて立体形の部屋の形状保持をサポートする。【００３０】  次に以上に紹介した基本的な部材を組み合わせた例として次の（１）〜（３）を図１１〜図１３と共に紹介する。
（１）、ミニハウスの構築例を図１１に斜視図で示す。
（２）、六角形の秘密基地の構築例を図１２に斜視図で示す。
（３）  迷路の構築例を図１３に斜視図で示す。【００３１】  図１１〜図１３に示す構築例は、次の簡単な手順を共通手順として構築する。
先ずアンカーブロック４０を配置し、これに竪ポール２０をセットし、次いで下部用のメイン連結アーム１０を竪ポール２０の下部に係合するが、この際、隣接する下部用のメイン連結アーム１０の一方が重なる場合は、重ならない側のメイン連結アーム１０の連結具基台１３とアンカーブロック４０との間にスペーサーリング６０を用いて高さ調節をする。次いで竪ポール２０に高さ設定用パイプ３０を挿入して同パイプ３０の下端部を各下部用のメイン連結アーム１０の連結具基台１３の回動開閉リング１７上に載置する。次いで上部用のメイン連結アーム１０の連結具基台１３に竪ポール２０の上部を挿入して高さ設定用パイプ３０の上端部に連結具基台１３の下端を当接させる。この当節の際、下部用のメイン連結アーム１０の上面部の嵌め込み溝１２に当該矩形パネルの下端エッジを嵌めると共に、上部用のメイン連結アーム１０の下面部の嵌め込み溝１２に当該矩形パネルの上端エッジを嵌めて壁を構築する。次に各竪ポール２０の上端部にトップブロック５０を装着して組み立てを順次完了する。
【産業上の利用可能性】
【００３２】  本発明の幼児用オリジナル知育遊具は、前述の各種構築例の紹介及び優れた作用効果を呈し、幼児用遊具産業界に貢献すること多大なものがあり産業上の利用可能性は極めて高い。
【符号の説明】
【００３３】メイン連結アーム  １０
メイン連結アーム本体  １１
嵌め込み溝  １２
連結具基台  １３
挿通穴  １４
固定開口部  １５−１〜１５−８
嵌め部  １６
回動開閉リング  １７
突起リング  １８
竪ポール  ２０
高さ設定用パイプ  ３０
アンカーブロック  ４０
アンカーホール  ４１
トップブロック  ５０
トップホール  ５１
スペーサーリング  ６０
竪貫通ホール  ６１
スジカイ連結アーム  ７０
スジカイ連結アーム本体  ７１
各種矩形パネル  ８１〜８７
挿通穴  １４０
回動式開口部  １５０
回動開閉リング  １７０
連結具基台  １３０
【図１】
2019126693.tif 000003
【図２】
2019126693.tif 000004
【図３】
2019126693.tif 000005
【図４】
2019126693.tif 000006
【図５】
2019126693.tif 000007
【図６】
2019126693.tif 000008
【図７】
2019126693.tif 000009
【図８】
2019126693.tif 000010
【図９】
2019126693.tif 000011
【図１０】
2019126693.tif 000012
【図１１】
2019126693.tif 000013
【図１２】
2019126693.tif 000014
【図１３】
2019126693.tif 000015
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
アーム本体の両端部に連結具を設けた前記連結具に開閉リングを回転可能に嵌め装着すると共にアーム本体の上面部及び／又は下面部に嵌め込み溝を形成したメイン連結アームと、前記メイン連結アームの連結具に着脱可能に連結する竪ポールと、前記メイン連結アームの嵌め込み溝に上端縁又は下端縁を着脱可能に嵌め込む矩形パネルと、前記竪ポールの下端部を挿入支持するアンカーブロックと、前記竪ポールを挿出入可能にし前記メイン連結アームの一対間の高さを制限する高さ設定用パイプとからなり、前記メイン連結アームの連結具は、連結具基台を有し、連結具基台は側方に固定開口部を設け固定開口部から前記竪ポールを出し入れ自在にすると共に上部に前記開閉リングを回転可能に嵌め、前記開閉リングは、前記固定開口部と同じ形状をし、回転により前記固定開口部を開閉する回動式開口部を有することを特徴とする幼児用オリジナル知育遊具。
【請求項２】
アーム本体の両端部に連結具を設けた前記連結具に開閉リングを回転可能に嵌め装着すると共にアーム本体の上面部及び／又は下面部に嵌め込み溝を形成したメイン連結アームと、前記メイン連結アームの連結具に着脱可能に連結する竪ポールと、前記メイン連結アームの嵌め込み溝に上端縁又は下端縁を着脱可能に嵌め込む矩形パネルと、前記竪ポールの下端部を挿入支持するアンカーブロックと、前記竪ポールの上端部を挿入支持するトップブロックと、前記竪ポールを挿出入可能にし前記メイン連結アームの一対間の高さを制限する高さ設定用パイプとからなり、前記メイン連結アームの連結具は、連結具基台を有し、連結具基台は側方に固定開口部を設け固定開口部から前記竪ポールを出し入れ自在にすると共に上部に前記開閉リングを回転可能に嵌め、前記開閉リングは、前記固定開口部と同じ形状をし回転により前記固定開口部を開閉する回動式開口部を有することを特徴とする幼児用オリジナル知育遊具。
【請求項３】
アーム本体の両端部に連結具を設けた前記連結具に開閉リングを回転可能に嵌め装着すると共にアーム本体の上面部及び／又は下面部に嵌め込み溝を形成したメイン連結アームと、前記メイン連結アームの連結具に着脱可能に連結する竪ポールと、前記メイン連結アームの嵌め込み溝に上端縁又は下端縁を着脱可能に嵌め込む矩形パネルと、前記竪ポールの下端部を挿入支持するアンカーブロックと、前記竪ポールを挿出入可能にし前記メイン連結アームの一対間の高さを制限する高さ設定用パイプとからなり、前記メイン連結アームの連結具は、連結具基台を有し、前記連結具基台は側方に固定開口部を設け固定開口部から前記竪ポールを出し入れ自在にすると共に上部に前記開閉リングを回転可能に嵌め、前記開閉リングは、前記固定開口部と同じ形状をし、回転により前記固定開口部を開閉する回動式開口部を有し、前記竪ポールに挿通可能にしてアンカーブロックとメイン連結アームの連結具との間、メイン連結アームの連結具の上方部又は下方部或いは連結具間の何れか一つに介設するスペーサーリングを設けたことを特徴とする幼児用オリジナル知育遊具。
【請求項４】
アーム本体の両端部に連結具を設けた前記連結具に開閉リングを回転可能に嵌め装着すると共にアーム本体の上面部及び／又は下面部に嵌め込み溝を形成したメイン連結アームと、前記メイン連結アームの連結具に着脱可能に連結する竪ポールと、前記メイン連結アームの嵌め込み溝に上端縁又は下端縁を着脱可能に嵌め込む矩形パネルと、前記竪ポールの下端部を挿入支持するアンカーブロックと、前記竪ポールの上端部を挿入支持するトップブロックと、前記竪ポールを挿出入可能にし前記メイン連結アームの一対間の高さを制限する高さ設定用パイプとからなり、前記メイン連結アームの連結具は、連結具基台を有し、連結具基台は側方に固定開口部を設け固定開口部から前記竪ポールを出し入れ自在にすると共に上部に前記開閉リングを回転可能に嵌め、前記開閉リングは、前記固定開口部と同じ形状をし、回転により前記固定開口部を開閉する回動式開口部を有し、前記竪ポールに挿通可能にしてアンカーブロックとメイン連結アームの連結具との間、メイン連結アームの連結具の上方部又は下方部或いは前記連結具間の何れか一つに介設するスペーサーリングを設け、更にアーム本体の長さを前記メイン連結アームの長さより長くすると共にアーム本体の両端部に前記メイン連結アームと同じ連結具を有するスジカイ連結アームを設けたことを特徴とする幼児用オリジナル知育遊具。
【請求項５】
前記矩形パネルには、ハンガー又はフック用の複数個の穴を形成した掛けパネル、窓パネル、装飾パネルを備えたことを特徴とする請求項１〜請求項４の何れか一つに記載の幼児用オリジナル知育遊具。